(57)【要約】【課題】風船を便利に固定可能であり、風船及び使用者を保護可能である発光デバイスを提供する。【解決手段】発光デバイスは、懐中電灯１、発光モジュール２、ランプシェード３、電池ユニット４、風船カバー５を備える。懐中電灯１の前端には風船固定部１３が設置され、発光モジュール２及びランプシェード３は、懐中電灯１の前端に組合せられる。電池ユニット４は、懐中電灯１内に設置される。風船カバー５は、碗形に形成され、一端に懐中電灯１に接続可能な嵌接口５２が形成される。風船カバー５の反対端には、風船１０を被せる開口５３が形成される。本発明の発光デバイスは、発光モジュール２を利用して風船１０を発光させることができる。また、風船１０を懐中電灯１の前端の風船固定部１３に固定し、風船カバー５を利用して風船１０を保護する。【選択図】図１
2013258010.tif 000002
【特許請求の範囲】
【請求項１】
懐中電灯、発光モジュール、ランプシェード、電池ユニット、風船カバーを備え、
前記懐中電灯は、筒部、および、前記筒部の一端に設けられる端部蓋を有し、前記筒部の他端に風船の設置に用いる風船固定部、および、収容設置空間が設けられ、前記筒部一端には前記収容設置空間と連通する電池槽が設けられ、
前記発光モジュールは、前記筒部の収容設置空間内に設けられ、回路板、及び前記回路板上に封入される少なくとも１個の発光パーツを有し、前記回路板は、前記発光パーツとは反対側の面に電池槽に対向する第一接触電極が設けられ、前記発光パーツは発光ダイオードであり、
前記ランプシェードは、前記懐中電灯の筒部前端に設けられ、前記発光モジュールを覆い、
前記電池ユニットは、前記筒部の電池槽中に設けられ、前記発光モジュールの接触電極と電気的に接続し、
前記風船カバーは、環状の碗形の環状壁により囲まれ、一端には、前記筒部の他端と接続する嵌接口が形成され、他端には、直径が前記嵌接口より大きい開口が形成されることを特徴とする発光デバイス。
【請求項２】
前記風船固定部は、凸部前記筒部から凸状に形成される凸部であり、
前記凸部には、風船を縛るのに用いる切欠が形成されることを特徴とする請求項１に記載の発光デバイス。
【請求項３】
前記筒部の側壁には、少なくとも１個の凹部が設けられ、
前記凹部中には、前記風船固定部が設けられることを特徴とする請求項２に記載の発光デバイス。
【請求項４】
前記筒部の前記他端には、第一係合部が設けられ、
前記ランプシェードには、前記第一係合部に対応する第二係合部が設けられ、
前記ランプシェードの前記第二係合部と前記筒部の前記第一係合部とを、組合せることを特徴とする請求項１に記載の発光デバイス。
【請求項５】
前記筒部の前記他端には、少なくとも１個の係合停止部が設けられ、
前記風船カバーの前記嵌接口は、前記係合停止部に係合可能であることを特徴とする請求項１に記載の発光デバイス。
【請求項６】
前記係合停止部は、前記筒部の側壁に設けられる凸ブロックに突出状に形成されことを特徴とする請求項５に記載の発光デバイス。
【請求項７】
前記風船カバーの前記嵌接口の内壁には、前記凸ブロックに係合可能なストッパー部が設けられることを特徴とする請求項６に記載の発光デバイス。
【請求項８】
前記風船カバーは、軟性プラスチック材質により形成されることを特徴とする請求項７に記載の発光デバイス。
【請求項９】
前記懐中電灯の前記筒部の側壁には、前記回路板に電気的に接続する電源スイッチが設けられることを特徴とする請求項１に記載の発光デバイス。
【請求項１０】
前記電源スイッチは、プッシュ式スイッチ、或いはスライド式スイッチであることを特徴とする請求項９に記載の発光デバイス。
【請求項１１】
前記懐中電灯の前記端部蓋には、棒体を挿入して接続可能な挿入接続孔が設けられることを特徴とする請求項１に記載の発光デバイス。
【請求項１２】
前記懐中電灯の前記端部蓋には、前記電池ユニットに対応する第二電極及び導電パーツが設けられることを特徴とする請求項１１に記載の発光デバイス。
【発明の詳細な説明】
【技術分野】
【０００１】
本発明は、発光デバイスに関し、特に空気充填後の風船を発光デバイスの一端に設置し、発光効果を達成する発光デバイスに関する。
【背景技術】
【０００２】
現在、発光デバイスにはさまざまな種類があり、生活照明、装飾用として幅広く応用されている。
しかも、特定のイベント、コンサート、結婚式、誕生パーティー等では、会場に大量の装飾ライトと風船が飾られている。
その内、発光効果を持つのは装飾ライトだけで、風船には発光効果がない。
そのため、ランプと風船のレイアウト作業は非常に面倒で、しかも作り出される雰囲気には、オリジナリティーもクリエイティブ感もなく、新しさが感じられない。
【０００３】
このため、特許文献１の風船ライト、特許文献２のカラフル風船、特許文献３の風船挟持デバイス、特許文献４の風船カラフル玩具、特許文献５の発光風船などのデバイスが開発された。
【先行技術文献】
【特許文献】
【０００４】
【特許文献１】米国特許第ＵＳ７６９９５０５号明細書
【特許文献２】米国特許第ＵＳ５１１７３４４号明細書
【特許文献３】米国特許第ＵＳ５２９５８９１号明細書
【特許文献４】米国特許第ＵＳ７３４４２６７号明細書
【特許文献５】米国特許第ＵＳ７３６４４８８号明細書
【特許文献６】米国特許第ＵＳ７６９９５０５号明細書
【特許文献７】台湾特許第Ｉ３３８１０４号明細書
【発明の概要】
【発明が解決しようとする課題】
【０００５】
しかし、上記した特許文献では、使用者が該発光デバイスを手に持ち、発光した風船を手で揺らし、振るなどの行為を行うことはできない。
そのため、イベント、コンサート、結婚式等における来場者の使用ニーズに応えることができない。
【０００６】
この状況に対応し、本出願人は「発光風船ライト」を開発し、特許文献６に記載の発明および特許文献７に記載の発明を考えた。
しかし、上記した発明の構造では、風船を簡単かつ便利に発光デバイスに設置する構成を備えないため、風船の設置が非常に面倒である。
また、例えば、いかにして風船を簡単に風船カバーに入れるか、風船の爆発を防ぐか、等の問題がある。
【０００７】
また、上記した各特許文献に記載の発明では、風船と使用者の手を保護する構造を備えていない。例えば、使用者が手で直接持っている時に、適切な隔離構造を備えていない場合、風船が破裂した際の衝撃を受け、かつ驚かされる。
本発明は、従来の発光デバイスの上記した欠点に鑑みてなされたものである。
本発明の目的は、風船を便利に固定可能であり、風船及び使用者を保護可能である発光デバイスを提供することである。
【課題を解決するための手段】
【０００８】
上記課題を解決するため、本発明は下記の発光デバイスを提供する。
発光デバイスは、懐中電灯、発光モジュール、ランプシェード、電池ユニット、および風船カバーを備える。
懐中電灯は、筒部、および、筒部の一端に設けられる端部蓋を有し、筒部の他端に風船の設置に用いる風船固定部、および、収容設置空間が設けられ、筒部一端には収容設置空間と連通する電池槽が設けられる。
発光モジュールは、筒部の収容設置空間内に設けられ、回路板、及び回路板上に封入される少なくとも１個の発光パーツを有し、回路板は、発光パーツとは反対側の面に電池槽に対向する第一接触電極が設けられ、発光パーツは発光ダイオード（ＬＥＤ）である。
ランプシェードは、懐中電灯の筒部前端に設けられ、発光モジュールを覆う。
電池ユニットは、筒部の電池槽中に設けられ、発光モジュールの接触電極と電気的に接続する。
風船カバーは、環状の碗形の環状壁により囲まれ、一端には、筒部の他端と接続する嵌接口が形成され、他端には、直径が前記嵌接口より大きい開口が形成される。
これにより、空気充填後の風船を懐中電灯の風船固定部に組み合わせ、風船カバーを懐中電灯に被せることで、風船を支えて固定し、風船及び使用者の手を保護する。
使用時には、光モジュールを制御し、点灯すると、光線は、風船内に入射する。これにより、光線は風船内で拡散し、風船は発光効果を生じ、イベント、結婚式、誕生パーティー、或いは庭園造景に適用可能である。
発光デバイスは、懐中電灯、発光モジュール、ランプシェード、電池ユニット、風船カバーを備える。
懐中電灯前端には、風船固定部が設置される。
発光モジュール及びランプシェードは、懐中電灯前端に組み合わせる。
電池ユニットは、該懐中電灯内に設置する。
風船カバーは、碗形であり、その一端には、懐中電灯に嵌められて接続する嵌接口を形成し、他端には風船を被って固定する開口を形成する。
これにより、本発明の発光デバイスは、風船を懐中電灯前端の風船固定部に固定し、風船カバーを利用して風船を保護し、発光モジュールを利用して風船を発光させることができる。
【発明の効果】
【０００９】
本発明の発光デバイスは、光線が風船に入り、内部で拡散することで、風船は発光効果を有する。使用者は発光デバイスを手で持つことができるため、発光した風船を手で持つことで、イベント、コンサート、結婚式、誕生パーティー等のシーンで使用することができ、特別な灯光効果を発揮し、さらに発光デバイスの構造により、風船及び使用者を保護することができる。
【図面の簡単な説明】
【００１０】
【図１】本発明の一実施形態による発光デバイスの断面図である。
【図２】本発明の一実施形態による発光デバイスの平面図である。
【図３】本発明の一実施形態による発光デバイスの分解斜視図である。
【図４】本発明の一実施形態による発光デバイスの斜視図である。
【図５】本発明の一実施形態による発光デバイスの側面図である。
【図６】本発明の一実施形態による発光デバイスの応用例を示す模式図である。
【図７】本発明の一実施形態による発光デバイスの発光状態を示す模式図である。
【発明を実施するための形態】
【００１１】
本発明の一実施形態を図面に基づいて説明する。
（一実施形態）
図１〜４に示すように、本実施形態による発光デバイスは、懐中電灯１、発光モジュール２、ランプシェード３、電池ユニット４、風船カバー５を備える。
【００１２】
懐中電灯１は、図１〜３に示すように、筒部１１及び端部蓋１２を備える。
筒部１１は、中空の筒状であり、その前端の周囲には、風船の設置に用いる風船固定部１３が設置される。
風船固定部１３は、風船縛り用の凸部１３１、および凸部、風船を係合するのに用いる切欠１３２を有する。
【００１３】
筒部１１の前端には、収容設置空間１１１を陥没状に設置し、反対の後端には、収容設置空間１１１に通じる電池槽１１２を設置する。
端部蓋１２は、ネジヤマ構造により、筒部１１後端の蓋体に螺合する。
端部蓋１２には、電池ユニット４に対応して接触する第二電極１２１及び導電パーツ１２２が設置される。
これにより、端部蓋１２は、筒部１１の電池槽１１２を閉鎖または開放することにより、電池交換を行うことができる。
【００１４】
発光モジュール２は、図１、３に示すように、回路板２１、少なくとも１個の回路板２１一面に封入する発光パーツ２２、及び制御回路を備える。
回路板２１は、発光パーツ２２とは反対の一面に、第一接触電極２３が設置される。
第一接触電極２３により、電池ユニット４と電気的に接続する。
これにより、発光モジュール２の回路板２１は、筒部１１の収容設置空間１１１内に設置される。
接触電極２３の電池槽１１２に向かい、発光パーツ２２は、筒部１１の前端に向かう。
発光パーツ２２は、変色可能な発光ダイオード（ＬＥＤ）である。
【００１５】
ランプシェード３は、図１〜３に示すように、光透過の蓋体で、懐中電灯１の筒部１１の前端に組み合わせ、発光モジュール２を覆う。
これにより、発光モジュール２を保護し、発光パーツ２２の光線が透射される。
ランプシェード３の前端中央には、光線の屈折に用いる光学部３１が突出状に形成される。
光学部３１は、半球体である。
【００１６】
電池ユニット４は、図１、３に示すように、乾電池或いは充電電池であり、筒部１１の電池槽１１２中に装置され、発光モジュール２の接触電極２３と電気的に接続する。
これにより、発光モジュール２に電力を供給することができる。
【００１７】
風船カバー５は、図１〜３に示すように、軟性樹脂材料を丸く成形した碗形の環状壁５１を有する。
碗形環状壁５１の一端には、筒部１１の前端に嵌めて接続可能な嵌接口５２を有し、他端には、直径が嵌接口５２より大きい開口５３を有する。
これにより、開口５３を利用して風船を嵌めて固定することができる。
【００１８】
上記、懐中電灯１、発光モジュール２、ランプシェード３、電池ユニット４、風船カバー５の構造の特徴及び組合せ構造を利用し、図１、４、５に示すように、本実施形態の発光デバイスを構成する。
これにより、使用者は風船を懐中電灯１の前端に設置することで、発光モジュール２が発する光線は、風船に入射し、風船を発光させる機能を発揮する。
【００１９】
図１、３に示すように、筒部１１の側壁に形成する少なくとも１個の凹部１１３を備える。
凹部１１３中には、風船固定部１３が設置され、これにより風船固定部１３の風船カバー５の碗形環状壁５１への干渉を回避する。
また、筒部１１の前端には、少なくとも１個の係合停止部１５が設置される。
係合停止部１５は、筒部１１側壁の凸ブロック１５１に突出して設置される。
風船カバー５は、軟性のプラスチック或いはラバー材質により構成され、嵌接口５２内側壁には、係合停止部１５（凸ブロック１５１）に係合するストッパー部５２１が設置される。
これにより、風船カバー５は、筒部１１に設置され、ストッパー部５２１は、係合停止部１５（凸ブロック１５１）に係合される。
すなわち、風船カバー５と筒部１１は、反対向きに取り外す（分離する）ことができる。
【００２０】
図１、３に示すように、本実施形態の懐中電灯１の筒部１１の前端には、複数の第一係合部１６が設置される。
第一係合部１６は、凸ブロック１６１である。
ランプシェード３の側壁には、第一係合部１６に対応する第二係合部３２が設置される。
第二係合部３２は、凹孔３２１である。
これにより、ランプシェード３を筒部１１の前端に組み合わせると、ランプシェード３の第二係合部３２と筒部１１の第一係合部１６とは相互に係合し、組合せ構造をシンプルにすることができる。よって、ランプシェード３を簡単かつ迅速に組み立てる効果を達成することができる。
【００２１】
図１、３に示すように、本実施形態の懐中電灯１の筒部１１の側壁には、電源スイッチ１４が設置される。
電源スイッチ１４は、発光モジュール２の回路板２１に接続する。
電源スイッチ１４は、プッシュ式スイッチ、或いはスライド式スイッチであり、これにより使用者は発光デバイスを起動、或いは停止することができる。
但し、電源スイッチ１４は、上記形態に限定するものではなく、さらに懐中電灯１の端部蓋１２の位置に設置することもでき、プッシュ式、或いはスライド式、或いは端部蓋１２を回す方式により、発光デバイスを起動、或いは停止することができる。
【００２２】
さらに、図１に示すように、本実施形態の発光デバイスを立てて設置するために、懐中電灯１の端部蓋１２には、棒体６を挿入して接続するための挿入接続孔１２３が設置される。
挿入接続孔１２３は、端部蓋１２の底端或いは側壁に設置される。
本実施形態の発光デバイスを定点設置する必要がある時には、挿入接続孔１２３を利用し、棒体６を挿入して接続する。
【００２３】
図６に示すように、本実施形態の発光デバイスを使用する時には、先ず、風船１０に空気を充填し、次に、風船１０の吹き込み口１０１に、結び目１０２を作る。
続いて、吹き込み口１０１を、懐中電灯１の前端の風船固定部１３の切欠１３２に押し込み、これにより結び目１０２は、凸部１３１の下に係合することで固定され、風船１０は、懐中電灯１の前端に位置する。
その後、風船カバー５を、懐中電灯１後端から前端へと被せ、嵌接口５２のストッパー部５２１を、筒部１１の係合停止部１５（凸ブロック１５１）に係合させる。
こうして、風船カバー５は、風船１０の底部を覆い、これにより風船カバー５を利用し、最適な隔離作用とより便利な組合せ方式を獲得することができる。
こうして、使用者が懐中電灯１を手に持つ時、風船１０と手を保護する機能を同時に達成することができる。
【００２４】
図７に示すように、風船１０を懐中電灯１の前端に設置することで、使用者は電源スイッチ１４により制御を行うことができる。
こうして、発光パーツ２２の光線は、ランプシェード３の光学部３１を通過して、風船１０内に向かって発光する。
その光線が、風船１０内に入射すると、屈折及び拡散効果を生じ、発光する風船１０を形成することができる。
【００２５】
以上、上記実施形態は、本発明の技術内容の説明に用いたものであり、本発明を限定するものではない。本発明の思想に基づく等価応用或いは部品（構造）の転換、置換、数量の増減はすべて、本発明の保護範囲に含むものとする。
【００２６】
本発明は特許の要件である新規性を備え、従来の同類製品に比べ十分な進歩を有し、実用性が高く、社会のニーズに合致しており、産業上の利用価値は非常に大きい。
【符号の説明】
【００２７】
１・・・懐中電灯、
１１・・・筒部、
１１１・・・収容設置空間、
１１２・・・電池槽、
１１３・・・凹部、
１２・・・端部蓋、
１２１・・・第二電極、
１２２・・・導電パーツ、
１２３・・・挿入接続孔、
１３・・・風船固定部、
１３１・・・凸部、
１３２・・・切欠、
１４・・・電源スイッチ、
１５・・・係合停止部、
１５１・・・凸ブロック、
１６・・・第一係合部、
１６１・・・凸ブロック、
２・・・発光モジュール、
２１・・・回路板、
２２・・・発光パーツ、
２３・・・第一接触電極、
３・・・ランプシェード、
３１・・・光学部、
３２・・・第二係合部、
３２１・・・凹孔、
４・・・電池ユニット、
５・・・風船カバー、
５１・・・碗形環状壁、
５２・・・嵌接口、
５２１・・・ストッパー部、
５３・・・開口、  
６・・・棒体、
１０・・・風船、
１０１・・・吹き込み口、
１０２・・・結び目。
【図１】
2013258010.tif 000003
【図２】
2013258010.tif 000004
【図３】
2013258010.tif 000005
【図４】
2013258010.tif 000006
【図５】
2013258010.tif 000007
【図６】
2013258010.tif 000008
【図７】
2013258010.tif 000009